(57)【特許請求の範囲】
【請求項１】
出入口扉に設置され、前記出入口扉を開放不可能な状態である施錠状態、または前記出入口扉を開放可能な状態である解錠状態にする錠前装置において、
前記錠前装置に対向した出入口の壁面に設けられた孔部に挿脱可能であって、前記孔部に挿入した状態で保持されることによって前記出入口扉を前記施錠状態にし、前記孔部から外されて前記出入口扉の内部に保持されることによって前記出入口扉を前記解錠状態にする施解錠部と、
前記出入口扉に設置された他の錠前装置に対する不正行為を検知する検知部と、
通常時には、前記施解錠部を前記解錠状態にし、不正行為が検知された場合、前記施解錠部を前記解錠状態から前記施錠状態にする施解錠制御部と、
を備え、
前記施解錠制御部は、不正行為が検知されたことにより前記施解錠部を前記施錠状態にした時点から所定時間経過後に、前記施解錠部を前記施錠状態から前記解錠状態にすることを特徴とする錠前装置。
【請求項２】
前記検知部は、前記他の錠前装置に対する振動または前記他の錠前装置から発せられる音波を不正行為として検知することを特徴とする請求項１に記載の錠前装置。
【請求項３】
施解錠機能を有さず、前記錠前装置が設置されており、かつ前記施解錠部を操作することを連想させる模造施解錠操作部を備えることを特徴とする請求項１または２に記載の錠前装置。
【請求項４】
前記検知部は、前記模造施解錠操作部に設けられ、さらに、前記模造施解錠操作部に対する不正行為を検知し、
前記施解錠制御部は、さらに、前記検知部によって前記模造施解錠操作部に対する不正行為が検知された場合、前記施解錠部を前記解錠状態から前記施錠状態にすることを特徴とする請求項３に記載の錠前装置。
【請求項５】
出入口扉に設置され、前記出入口扉を開放不可能な状態である施錠状態、または前記出入口扉を開放可能な状態である解錠状態にする錠前装置において、
前記錠前装置に対向した出入口の壁面に設けられた孔部に挿脱可能であって、前記孔部に挿入した状態で保持されることによって前記出入口扉を前記施錠状態にし、前記孔部から外されて前記出入口扉の内部に保持されることによって前記出入口扉を前記解錠状態にする施解錠部と、
前記出入口扉に設置された他の錠前装置に対する不正行為を検知する検知部と、
不正行為が検知された場合、その旨を示す警報を、ネットワークに接続され、所定の監視処理を行う監視センタに送信する送信手段と、
前記監視センタから、前記施解錠部を前記解錠状態から前記施錠状態にする旨の施錠指令を受信する受信手段と、
前記施錠指令を受信した場合、前記施解錠部を前記解錠状態から前記施錠状態にする施解錠制御部と、
施解錠機能を有さず、前記錠前装置が設置されており、かつ前記施解錠部を操作することを連想させる模造施解錠操作部と、
を備え、
前記検知部は、前記模造施解錠操作部に設けられ、さらに、前記模造施解錠操作部に対する不正行為を検知し、
前記施解錠制御部は、さらに、前記検知部によって前記模造施解錠操作部に対する不正行為が検知された場合、前記施解錠部を前記解錠状態から前記施錠状態にすることを特徴とする錠前装置。
【請求項６】
前記検知部は、前記他の錠前装置に対する振動または前記他の錠前装置から発せられる音波を不正行為として検知することを特徴とする請求項５に記載の錠前装置。
【請求項７】
前記錠前装置と前記出入口扉付近とを撮像する撮像部を備え、
前記送信手段は、さらに、不正行為が検知された場合、撮像された画像を前記監視センタに送信することを特徴とする請求項５または６に記載の錠前装置。
【請求項８】
前記受信手段は、前記施錠指令を受信した後に、前記監視センタから前記施解錠部を前記施錠状態から前記解錠状態にする旨の解錠指令を受信し、
前記施解錠制御部は、前記解錠指令を受信した場合、前記施解錠部を前記施錠状態から前記解錠状態にすることを特徴とする請求項５〜７のいずれか一つに記載の錠前装置。
【請求項９】
出入口扉に設置され、前記出入口扉を開放不可能な状態である施錠状態、または前記出入口扉を開放可能な状態である解錠状態にする錠前装置によって前記出入口扉を施解錠する施解錠方法であって、
前記錠前装置は、対向する出入口の壁面に設けられた孔部に挿脱可能であって、前記孔部に挿入した状態で保持されることによって前記出入口扉を前記施錠状態にし、前記孔部から外されて前記出入口扉の内部に保持されることによって前記出入口扉を前記解錠状態にする施解錠部を備え、
検知部により、前記出入口扉に設置された他の錠前装置に対する不正行為を検知する検知工程と、
通常時には、前記施解錠部を前記解錠状態にし、不正行為が検知された場合、前記施解錠部を前記解錠状態から前記施錠状態にする施解錠制御工程と、
を含み、
前記施解錠制御工程は、不正行為が検知されたことにより前記施解錠部を前記施錠状態にした時点から所定時間経過後に、前記施解錠部を前記施錠状態から前記解錠状態にすることを特徴とする施解錠方法。
【発明の詳細な説明】
【技術分野】
【０００１】
本発明は、出入口扉を施解錠する錠前装置および施解錠方法に関するものであり、特に、不正行為が行われた場合に施錠される錠前装置および施解錠方法に関する。
【背景技術】
【０００２】
近年、不正な侵入を防止する目的で、一つの出入口扉に主錠と補助錠の二つの錠前装置を設置する所謂ワンドアツーロックを実施して、防犯性の向上を図る試みがなされている。すなわち、ワンドアツーロックを実施することで期待できる効果としては、主錠と補助錠とを設置することにより、各種非破壊不正解錠手段（ピッキング、サムターン回し等）における作業の手間・所要時間を２倍程度にすること、出入口扉や錠前装置の破壊を伴う不正開放手段（こじ開け、錠破り等）を物理的に困難にすること、及び、補助錠を設置することにより、不正解錠が困難であることに加えて、居住者の防犯意識が高いことを不正侵入者に感じさせて犯意を失わせるとともに、犯行に至らなくさせることが挙げられる。
【０００３】
従って、従来から、一つの出入口扉に主錠と補助錠の二つの錠前装置が一般的に利用されている。例えば、室外側から施錠するときは一方のシリンダ錠を施錠すれば他のシリンダ錠も自動的に施錠できるが、解錠するときには夫々別個に解錠するようにした施錠装置が開示されている（例えば、特許文献１参照）。また、二つの電気錠のうち一方の電気錠を施錠した場合には、これと連動して他方の電気錠が施錠されるが、一方の電気錠を解錠した場合には、他方の電気錠はこの操作と連動せず施錠状態を維持する電気錠装置が開示されている（例えば、特許文献２参照）。
【０００４】
【特許文献１】特開２００５−３１５０４７号公報
【特許文献２】特開２００２−１８０７１２号公報
【発明の開示】
【発明が解決しようとする課題】
【０００５】
しかしながら、従来技術のように、出入口扉に二つの錠前装置を設置した場合、不正侵入者による錠前装置の解錠が困難となるが、正規の利用者が入退館する際にも、二つの錠前装置それぞれに対する施解錠操作が必要となる。また、上記特許文献１および特許文献２の技術では、出入口扉の施錠を行う場合は一回の施錠操作で二つの錠前装置を施錠することが可能となるが、出入口扉の解錠を行う際には、二つの錠前装置を解錠するための二回の解錠操作が必要になる。このため、出入口扉に単独の錠前装置を設置している場合と比較すると解錠操作が二段階となるため、正規の利用者による操作が煩雑となり利便性が低下するという問題があった。
【０００６】
本発明は、上記に鑑みてなされたものであって、二つ目の錠前装置として設置する補助錠の本質的機能が不正解錠を防止するためであることに着目し、通常時には解錠状態であって、不正解錠などの不正行為が検知された場合に施解錠部を解錠状態から施錠状態にすることで、正規の利用者には一回の施解錠操作で出入口扉の施解錠を可能にして煩雑な施解錠操作を強要せず利便性を向上させるとともに、不正侵入者には解錠操作を困難にして防犯性を向上できる錠前装置および施解錠方法を提供することを目的とする。
【課題を解決するための手段】
【０００７】
上述した課題を解決し、目的を達成するために、請求項１にかかる発明は、出入口扉に設置され、前記出入口扉を開放不可能な状態である施錠状態、または前記出入口扉を開放可能な状態である解錠状態にする錠前装置において、前記錠前装置に対向した出入口の壁面に設けられた孔部に挿脱可能であって、前記孔部に挿入した状態で保持されることによって前記出入口扉を前記施錠状態にし、前記孔部から外されて前記出入口扉の内部に保持されることによって前記出入口扉を前記解錠状態にする施解錠部と、前記出入口扉に設置された他の錠前装置に対する不正行為を検知する検知部と、通常時には、前記施解錠部を前記解錠状態にし、不正行為が検知された場合、前記施解錠部を前記解錠状態から前記施錠状態にする施解錠制御部と、を備え、前記施解錠制御部は、不正行為が検知されたことにより前記施解錠部を前記施錠状態にした時点から所定時間経過後に、前記施解錠部を前記施錠状態から前記解錠状態にすることを特徴とする。
【０００８】
また、請求項２にかかる発明は、請求項１に記載の錠前装置において、前記検知部は、前記他の錠前装置に対する振動または前記他の錠前装置から発せられる音波を不正行為として検知することを特徴とする。
【０００９】
また、請求項３にかかる発明は、請求項１または２に記載の錠前装置において、施解錠機能を有さず、前記錠前装置が設置されており、かつ前記施解錠部を操作することを連想させる模造施解錠操作部を備えることを特徴とする。
【００１０】
また、請求項４にかかる発明は、請求項３に記載の錠前装置において、前記検知部は、前記模造施解錠操作部に設けられ、さらに、前記模造施解錠操作部に対する不正行為を検知し、前記施解錠制御部は、さらに、前記検知部によって前記模造施解錠操作部に対する不正行為が検知された場合、前記施解錠部を前記解錠状態から前記施錠状態にすることを特徴とする。
【００１１】
また、請求項５にかかる発明は、出入口扉に設置され、前記出入口扉を開放不可能な状態である施錠状態、または前記出入口扉を開放可能な状態である解錠状態にする錠前装置において、前記錠前装置に対向した出入口の壁面に設けられた孔部に挿脱可能であって、前記孔部に挿入した状態で保持されることによって前記出入口扉を前記施錠状態にし、前記孔部から外されて前記出入口扉の内部に保持されることによって前記出入口扉を前記解錠状態にする施解錠部と、前記出入口扉に設置された他の錠前装置に対する不正行為を検知する検知部と、不正行為が検知された場合、その旨を示す警報を、ネットワークに接続され、所定の監視処理を行う監視センタに送信する送信手段と、前記監視センタから、前記施解錠部を前記解錠状態から前記施錠状態にする旨の施錠指令を受信する受信手段と、前記施錠指令を受信した場合、前記施解錠部を前記解錠状態から前記施錠状態にする施解錠制御部と、施解錠機能を有さず、前記錠前装置が設置されており、かつ前記施解錠部を操作することを連想させる模造施解錠操作部と、を備え、前記検知部は、前記模造施解錠操作部に設けられ、さらに、前記模造施解錠操作部に対する不正行為を検知し、前記施解錠制御部は、さらに、前記検知部によって前記模造施解錠操作部に対する不正行為が検知された場合、前記施解錠部を前記解錠状態から前記施錠状態にすることを特徴とする。
【００１２】
また、請求項６にかかる発明は、請求項５に記載の錠前装置において、前記検知部は、前記他の錠前装置に対する振動または前記他の錠前装置から発せられる音波を不正行為として検知することを特徴とする。
【００１３】
また、請求項７にかかる発明は、請求項５または６に記載の錠前装置において、前記錠前装置と前記出入口扉付近とを撮像する撮像部を備え、前記送信手段は、さらに、不正行為が検知された場合、撮像された画像を前記監視センタに送信することを特徴とする。
【００１４】
また、請求項８にかかる発明は、請求項５〜７のいずれか一つに記載の錠前装置において、前記受信手段は、前記施錠指令を受信した後に、前記監視センタから前記施解錠部を前記施錠状態から前記解錠状態にする旨の解錠指令を受信し、前記施解錠制御部は、前記解錠指令を受信した場合、前記施解錠部を前記施錠状態から前記解錠状態にすることを特徴とする。
【００１５】
また、請求項９にかかる発明は、出入口扉に設置され、前記出入口扉を開放不可能な状態である施錠状態、または前記出入口扉を開放可能な状態である解錠状態にする錠前装置によって前記出入口扉を施解錠する施解錠方法であって、前記錠前装置は、対向する出入口の壁面に設けられた孔部に挿脱可能であって、前記孔部に挿入した状態で保持されることによって前記出入口扉を前記施錠状態にし、前記孔部から外されて前記出入口扉の内部に保持されることによって前記出入口扉を前記解錠状態にする施解錠部を備え、検知部により、前記出入口扉に設置された他の錠前装置に対する不正行為を検知する検知工程と、通常時には、前記施解錠部を前記解錠状態にし、不正行為が検知された場合、前記施解錠部を前記解錠状態から前記施錠状態にする施解錠制御工程と、を含み、前記施解錠制御工程は、不正行為が検知されたことにより前記施解錠部を前記施錠状態にした時点から所定時間経過後に、前記施解錠部を前記施錠状態から前記解錠状態にすることを特徴とする。
【発明の効果】
【００１７】
本発明によれば、通常時には解錠状態であって、検知部により不正解錠などの不正行為が検知された場合に、施解錠制御部により施解錠部を解錠状態から施錠状態にすることで、正規の利用者には一回の施解錠操作で出入口扉の施解錠を可能にして煩雑な施解錠操作を強要せず利便性を向上させるとともに、不正侵入者には解錠操作を困難にして防犯性を向上できるという効果を奏する。
【発明を実施するための最良の形態】
【００１８】
以下に添付図面を参照して、この発明にかかる錠前装置および施解錠方法の最良な実施の形態を詳細に説明する。以下の実施の形態においては、出入口扉に、鍵を所持していない非関係者の入館（入室）を制限する目的で使用される主錠と、不正解錠・開放を困難にして不正侵入者の不正入館を抑止・防止する目的で使用される補助錠とを設置しており、補助錠に本発明の錠前装置を適用した例である。
【００１９】
（実施の形態１）
本実施の形態にかかる錠前装置である補助錠は、通常時は解錠状態となっており、正規の利用者の入退館において施解錠操作が不要な錠前装置であって、主錠に対する不正行為を検知した場合に、解錠状態から施錠状態へ移行して不正侵入者による侵入を防止するものである。
【００２０】
まず、主錠と補助錠の役割の違いについて説明する。上述したように、主錠は鍵を所持していない非関係者の入館（入室）を制限する目的で使用される。すなわち、主錠は、出入口扉を施錠しておくことで、善良な第三者に対して関係者以外は入室禁止である旨を伝えることができればよい。それに対して、補助錠は不正解錠・開放を困難にすることで、不正侵入者の不正入館を抑止・防止する目的で使用されることが本質的な機能である。
【００２１】
つまり、補助錠を設置する目的は以下の効果を期待したものである。第１に、主錠と併せることで、各種非破壊不正解錠手段（ピッキング、サムターン回し等）における作業の手間・所要時間を２倍程度にする。第２に、出入口扉や錠前装置の破壊を伴う不正開放手段（こじ開け、錠破り等）を物理的に困難にする。第３に、補助錠の設置により、不正解錠が困難であることに加えて、居住者の防犯意識が高いことを不正侵入者に感じさせて犯意を失わせるとともに犯行に至らなくするよう促す。すなわち、鍵を持っていない者を入館出来なくするだけであれば、主錠のみで充分であるが、不正解錠・開放を防止・抑制するためには、補助錠を設置することが有効である。
【００２２】
ここで、犯行の頻度として、非破壊不正解錠手段（ピッキング、サムターン回し等）は、扉や錠前の破壊を伴う不正開放手段（こじ開け、錠破り等）に対して、圧倒的多数であることから、主に不正解錠手段を防止することを目的として、正規の利用者が入館する際には解錠状態であり、不正解錠が試みられた場合のみ、解錠状態から施錠状態にする錠前装置である補助錠を以下に説明する。
【００２３】
図１、図２は、実施の形態１にかかる補助錠と主錠とを設置した出入口扉の全体を示す図である。図１、２では、左側の図が出入口扉１で仕切られた部屋の内側から見た出入口扉１の背面図であり、中央の図が出入口扉１の側面図であり、右側の図が出入口扉１を部屋の外部からみた正面図である。図１、２に示すように、出入口扉１には、上側に補助錠１００が設置され、下側に主錠６００が設置されている。主錠６００は、利用者がシリンダ３に鍵を挿入して回動操作、あるいは、サムターン６を摘み手動操作を行うことでデッドボルト５を移動させて、出入口扉１を施錠状態または解錠状態にする。
【００２４】
ここで、施錠状態とは、出入口扉１に設けられたレバーハンドル４を操作しても出入口扉１を開放不可能な状態である。例えば、主錠６００による施錠状態とは、主錠６００に対向した出入口の壁面に設けられた孔部（不図示）にデッドボルト５が挿入された状態で保持されることで、出入口扉１を開放できない状態である（図１、２参照）。また、解錠状態とは、出入口扉１に設けられたレバーハンドル４を操作すれば出入口扉１を開放可能な状態である。例えば、主錠６００による解錠状態とは、上述した孔部（不図示）からデッドボルト５が外されて出入口扉１の内部に保持されることで、出入口扉１が開放できる状態である。
【００２５】
また、補助錠１００は、出入口扉１に埋め込まれており、主錠６００と同様に、デッドボルト１０が移動することで出入口扉１を施錠状態または解錠状態にするものである。また、補助錠１００は、不正侵入者Ｐによる不正行為を検知する不正検知部１１０が接続されている。ここで、補助錠１００による解錠状態とは、補助錠１００に対向した出入口壁面に設けられた孔部（不図示）からデッドボルト１０が外されて出入口扉１の内部に保持されることで、出入口扉１が開放できる状態である（図１参照）。また、補助錠１００による施錠状態とは、上述した孔部（不図示）にデッドボルト１０が挿入された状態で保持されることで、出入口扉１を開放できない状態である（図２参照）。
【００２６】
つまり、図１では、主錠６００は施錠状態であり、補助錠１００は解錠状態であることを示しており、図２では、主錠６００および補助錠１００ともに施錠状態を示している。また、本実施の形態では、出入口扉１に主錠６００および補助錠１００を設置しているため、主錠６００および補助錠１００がともに解錠状態であるときに出入口扉１が開放可能となるが、それ以外、すなわち主錠６００が解錠状態で補助錠１００が施錠状態、主錠６００が施錠状態で補助錠１００が解錠状態、および主錠６００および補助錠１００がともに施錠状態であるとき、出入口扉１は開放不可能となる。
【００２７】
次に、図３、４を参照して、補助錠１００の構成の詳細について説明する。図３は、実施の形態１における解錠状態の補助錠を示す図である。また、図４は、実施の形態１における施錠状態の補助錠を示す図である。図３、４に示すように、本実施の形態の補助錠１００は、フロント１０１と錠前機構１０２とにより構成されており、錠前機構１０２は、モータ４０と、歯車４３と、レール３０と、中央歯車２０と、レール１３と、デッドボルト１０と、マイクロスイッチ５０と、不正検知部１１０と、制御部１２０とを主に備えている。
【００２８】
フロント１０１は、デッドボルト１０が出入する開口部（不図示）を有し、錠前機構１０２の側面を覆う板状の金属板である。また、フロント１０１の上部と下部には、錠前機構１０２を出入口扉１に固定するためのねじ穴（不図示）が設けられている。補助錠１００を出入口扉１に設置した場合は、錠前機構１０２が出入口扉１に埋め込まれ、フロント１０１が出入口扉１の側面に見える状態となる。
【００２９】
モータ４０は、電気的エネルギーを機械的エネルギーに変換するものであり、モータ本体４１の下部に軸部４２が接続されている。モータ４０は、通電されることにより軸部４２を正逆回転させる。すなわち、モータ４０は、軸部４２を矢印Ｒ１方向（図３参照）に回転（正回転）、または矢印Ｒ３方向（図４参照）に回転（逆回転）させるものである。
【００３０】
歯車４３は、モータ４０に接続された軸部４２のモータ４０側と反対側の端部に設けられており、軸部４２の回転に連動して矢印Ｒ１方向および矢印Ｒ３方向に回転するものである。
【００３１】
レール３０は、側面に凹凸が設けられ、下部に歯３０ａが設けられた棒状の部材であり、凹凸が歯車４３に噛み合うように配置されている。そして、レール３０は、歯車４３が矢印Ｒ１方向に回転すると、その回転に伴って矢印Ａ方向（図３参照）に移動する。また、レール３０は、歯車４３が矢印Ｒ３方向に回転すると、その回転に伴って矢印Ｃ方向（図４参照）に移動する。
【００３２】
中央歯車２０は、歯２０ａが設けられた歯車であって、レール３０の歯３０ａおよびレール１３の歯１３ａと噛み合うように配置されている。そして、中央歯車２０は、レール３０が矢印Ａ方向に移動すると、その移動に伴って矢印Ｒ２方向（図３参照）に回転する。また、中央歯車２０は、レール３０が矢印Ｃ方向に移動すると、その移動に伴って矢印Ｒ４方向（図４参照）に回転する。
【００３３】
レール１３は、上部に歯１３ａが設けられた棒状の部材であり、中央歯車２０の歯２０ａに噛み合いながらデッドボルト１０の軸部１１に固定して設置されている。そして、レール１３は、中央歯車２０が矢印Ｒ２方向に回転すると、その回転に伴って矢印Ｂ方向（図３参照）に移動して、デッドボルト１０を矢印Ｂ方向に移動させる。また、レール１３は、中央歯車２０が矢印Ｒ４方向に回転すると、その回転に伴って矢印Ｄ方向（図４参照）に移動して、デッドボルト１０を矢印Ｄ方向に移動させる。
【００３４】
デッドボルト１０は、軸部１１と、先端部１２と、突部１４とで構成されており、軸部１１に設置されたレール１３の移動に伴って矢印Ｂ方向または矢印Ｄ方向に移動することで、出入口扉１を施錠状態もしくは解錠状態にするものである。すなわち、デッドボルト１０は、出入口扉１を収納する出入口の壁面に設けられた孔部（不図示）に対して先端部１２が挿脱可能に移動するものであって、矢印Ｂ方向に移動して先端部１２を孔部に挿入した状態を保持することによって出入口扉１を施錠状態にし、矢印Ｄ方向に移動して先端部１２を孔部から外して出入口扉１の内部に保持することによって出入口扉１を解錠状態にする。また、突部１４は、マイクロスイッチ５０と接触するように、軸部１１の右下部に設けられている。
【００３５】
マイクロスイッチ５０は、物体の有無や位置を検出して接点を開閉するスイッチであり、錠前機構１０２の枠部の内側に設けられており、デッドボルト１０が解錠状態である場合に接点５１が突部１４に接するように設置されている。そして、マイクロスイッチ５０は、デッドボルト１０が矢印Ｂ方向に移動して施錠状態になった時点で接点５１が開いて「開」状態となり、デッドボルト１０が矢印Ｄ方向に移動して解錠状態になると突部１４に押圧された接点５１が閉じて「閉」状態となる。
【００３６】
不正検知部１１０は、出入口扉１の内部もしくは内側に設置されており、主錠に対して不正解錠などの不正行為が行われた場合に、その不正行為を検知するものであり、振動を検知するセンサや、音波を分別して検知するセンサなどである。例えば、不正検知部１１０は、不正侵入者により主錠のシリンダ３（図１参照）から特殊な金属製の工具を用いて解錠するピッキング等の不正解錠が行われた場合、不正検知部１１０は、主錠に対する振動や主錠から発せられる音波を不正行為として検知して制御部１２０にその旨の信号を送出する。なお、不正検知部１１０は、一般に市販されている、ピッキング工具をシリンダに差し込み不正解錠を試みる行為を感知して大音量の警報を発する「ピッキングアラーム」を設置して不正行為を検知する構成としてもよい。
【００３７】
制御部１２０は、モータ４０を介してデッドボルト１０の移動を制御するものであり、さらに、施解錠制御部１２１と、施解錠状態取得部１２２とを主に備えている。
【００３８】
施解錠制御部１２１は、通常時は、デッドボルト１０を図３の状態にすることで解錠状態にし、不正検知部１１０から不正行為が検知された旨の信号を受信した場合、モータ４０を、軸部４２を正回転させるように駆動して、デッドボルト１０を解錠状態から施錠状態に移行する。
【００３９】
具体的には、施解錠制御部１２１は、モータ４０を駆動することにより軸部４２を矢印Ｒ１方向に回転（正回転）させる。そうすると、その回転に伴って歯車４３も矢印Ｒ１方向に回転し、歯車４３の回転に連動してレール３０が矢印Ａ方向に移動し、中央歯車２０を矢印Ｒ２方向に回転させる。そして、中央歯車２０の回転に連動してレール１３が矢印Ｂ方向に移動し、デッドボルト１０も矢印Ｂ方向に移動することで、先端部１２が出入口の孔部に挿入され、出入口扉１を施錠状態に移行することになる。
【００４０】
また、施解錠制御部１２１は、デッドボルト１０を施錠状態にした時点から後述する施解錠状態取得部１２２により所定時間が計測された場合、モータ４０を、軸部４２を逆回転させるように駆動してデッドボルト１０を施錠状態から解錠状態に移行する。
【００４１】
具体的には、施解錠制御部１２１は、モータ４０を駆動することにより軸部４２を矢印Ｒ３方向に回転（逆回転）させる。そうすると、その回転に伴って歯車４３も矢印Ｒ３方向に回転し、歯車４３の回転に連動してレール３０が矢印Ｃ方向に移動し、中央歯車２０を矢印Ｒ４方向に回転させる。そして、中央歯車２０の回転に連動してレール１３が矢印Ｄ方向に移動し、デッドボルト１０も矢印Ｄ方向に移動することで、先端部１２が出入口の孔部から外されて、出入口扉１を解錠状態に移行することになる。
【００４２】
施解錠状態取得部１２２は、出入口扉１が施錠状態になった時点、すなわちデッドボルト１０が矢印Ｂ方向に移動することで、マイクロスイッチ５０の接点５１が「開」状態になった時点から、予め定められた所定時間（例えば３分間）を計測するタイマー機能を備えている。また、施解錠状態取得部１２２は、マイクロスイッチ５０の接点５１が「開」状態の場合はデッドボルト１０が施錠状態であると判断し、マイクロスイッチ５０の接点５１が「閉」状態の場合はデッドボルト１０が解錠状態であると判断する。
【００４３】
次に、図３〜５を参照して、本実施の形態の補助錠の施解錠動作について説明する。図５は、実施の形態１に係る補助錠の施解錠動作の流れを示すフローチャートである。
【００４４】
まず、施解錠制御部１２１は、不正検知部１１０によって、不正侵入者により主錠に対するピッキング等の不正解錠が行われたことによる不正行為を検知したか否かの判断をする（ステップＳ１０）。不正検知部１１０により不正行為が検知されてない場合（ステップＳ１０：Ｎｏ）、ステップＳ１０に戻る。
【００４５】
一方、不正検知部１１０により不正行為が検知された場合（ステップＳ１０：Ｙｅｓ）、施解錠状態取得部１２２は、出入口扉１が解錠状態であるか否か、すなわち、図３に示すようにデッドボルト１０が出入口扉１の内部に保持されているか否かをマイクロスイッチ５０の開閉状態により判断する（ステップＳ１１）。そして、出入口扉１が解錠状態であった場合（ステップＳ１１：Ｙｅｓ）、施解錠制御部１２１は、モータ４０を駆動して軸部４２を正回転させることにより、デッドボルト１０を出入口の孔部に挿入して出入口扉１を施錠状態に移行する（ステップＳ１２）。
【００４６】
次に、施解錠状態取得部１２２は、出入口扉１が施錠状態になった時点から予め定められた所定時間の計測を行う。そして、施解錠制御部１２１は、施解錠状態取得部１２２の計測によって、所定時間が経過したか否かの判断をする（ステップＳ１３）。所定時間が経過してない場合（ステップＳ１３：Ｎｏ）、ステップＳ１３に戻り所定時間が経過するまで待機する。
【００４７】
一方、所定時間が経過した場合（ステップＳ１３：Ｙｅｓ）、施解錠制御部１２１は、デッドボルト１０を出入口の孔部から外して出入口扉１を解錠状態に移行する（ステップＳ１４）。また、ステップＳ１１において、出入口扉１が施錠状態であった場合（ステップＳ１１：Ｎｏ）、施錠状態であると判断した時点から所定時間経過した場合に、施解錠制御部１２１は、モータ４０を駆動して軸部４２を逆回転させることにより、デッドボルト１０を出入口の孔部から外して出入口扉１を解錠状態に移行する（ステップＳ１４）。
【００４８】
このように、実施の形態１の補助錠１００は、通常時には解錠状態であって、不正解錠などの不正行為が検知された場合に、デッドボルト１０を解錠状態から施錠状態にする。従って、正規の利用者が入退館する場合には、主錠のみで出入口扉１を施錠状態にするため、一回の施解錠操作で出入口扉１の施解錠を可能にして煩雑な施解錠操作を強要せず利便性を向上させることができる。また、不正行為が検知された場合は、主錠と補助錠１００の二つの錠前装置により出入口扉１を施錠状態にするため、不正侵入者には解錠操作を困難にして防犯性を向上できる。
【００４９】
また、実施の形態１の補助錠１００は、施錠状態に移行して所定時間経過後には、再度施錠状態から解錠状態へ移行するため、不正侵入者が退去した後に正規の利用者が入退館する場合には、原状復帰するための処理を行わず、上記と同様一回の施解錠操作で出入口扉１の施解錠を可能にする。
【００５０】
（実施の形態１の変形例）
実施の形態１の補助錠は、不正行為を検知した場合に解錠状態から施錠状態に移行する構成となっており、出入口扉の内部に設置されていた。従って、実施の形態１では、補助錠が設けられていることが外部側からはわからない。そこで、本実施の形態では、さらに、実施の形態１の補助錠が設置されていることを不正な第三者に連想させる模造のシリンダ（ダミーシリンダ）を出入口扉１に設置したものである。
【００５１】
図６は、実施の形態１の変形例にかかる補助錠と主錠とを設置した出入口扉の全体を示す図である。図６は、出入口扉１を部屋の外部から見た正面図であり、補助錠１００が内部に設置されている位置に対応する出入口扉１の外側にダミーシリンダ２００が設けられている。図７は、電気的に施解錠操作を行う補助錠が設置されていることを連想させる描画を施したダミーシリンダの一例を示す図である。なお、補助錠１００と主錠６００の構成、機能、および施解錠動作については、実施の形態１と同様であるため説明を省略する。
【００５２】
ダミーシリンダ２００は、出入口扉１に二つ目の錠前装置が設置されていることを連想させるものであり、実際の施解錠の機能は有していない。すなわち、ダミーシリンダ２００は、主錠だけでなく補助錠が設置されていることを連想させる。また、ダミーシリンダ２００は、図７に示すように、ＩＣ（Integrated  Circuit）タグなどを所持する手が描かれた描画２０１を施し、このダミーシリンダ２００にＩＣタグなどを近づけることによって、非接触で電気的に施解錠操作を行うことを連想させるように構成してもよい。
【００５３】
このように、実施の形態１の変形例では、出入口扉１に描画２０１を施したダミーシリンダ２００を設けることで、外部から侵入しようとする不正侵入者に、出入口扉１には２個目の錠前装置である補助錠が設置されていることを視覚的に連想させることができる。従って、二つ目の錠前装置である電気錠を連想させる補助錠の設置により、不正解錠が困難であることに加え居住者の防犯意識が高いことを不正侵入者に感じさせて犯意を失わせ犯行に及ぶことに至らなくさせるよう促すことができる。
【００５４】
さらに、ダミーシリンダ２００について、外観上は一般的なシリンダと同様にしておき、内部に上述した不正検知部１１０を組み込み、この不正検知部１１０によって更にダミーシリンダ２００に対する不正行為を、ダミーシリンダ２００に対する振動やダミーシリンダ２００から発せられる音波を不正行為として検知するように構成してもよい。これにより、不正侵入者がピッキング等の不正行為をダミーシリンダ２００に試みた場合にも、不正検知部１１０によりダミーシリンダ２００に対する不正行為が検知され、施解錠制御部１２１によりデッドボルト１０を解錠状態から施錠状態に移行させることができる。
【００５５】
（実施の形態２）
実施の形態１の補助錠は、不正行為を検知した場合に、制御部に設けられた施解錠制御部および施解錠状態取得部により施解錠操作を行っていた。本実施の形態の補助錠では、不正行為を検知した場合、その旨の警報等を監視センタに送信し、監視センタから施解錠の指令を受信して施解錠を行うものである。
【００５６】
図８は、実施の形態２にかかる補助錠と主錠とを設置した出入口扉の全体を示す図である。図８では、左側の図が出入口扉１で仕切られた部屋の内側から見た出入口扉１の背面図であり、中央の図が出入口扉１の側面図であり、右側の図が出入口扉１を部屋の外部からみた正面図である。図８に示すように、出入口扉１には、上側に補助錠３００が設置され、下側に主錠６００が設置されている。主錠６００は、実施の形態１と同様に、利用者がシリンダ３に鍵を挿入して回動操作、あるいは、サムターン６を摘み手動操作を行うことでデッドボルト５を移動させて、出入口扉１を施錠状態または解錠状態にする。
【００５７】
また、補助錠３００は、出入口扉１に埋め込まれており、主錠６００と同様に、デッドボルト１０が移動することで出入口扉１を施錠状態または解錠状態にするものである。また、補助錠３００は、不正侵入者Ｐによる不正行為を検知する不正検知部１１０と、補助錠３００と出入口扉１付近を撮像するカメラ３５０が接続されている。また、補助錠３００は、ネットワーク４００を介して監視センタ５００に接続されており、監視センタ５００には、カメラ３５０で撮像された画像や映像を表示するモニタ５１０が設置されており、警備員５２０が駐在している。なお、主錠６００および補助錠３００の施錠状態および解錠状態の説明は実施の形態１と同様であるため省略する。
【００５８】
次に、図９、１０を参照して、補助錠３００の構成の詳細について説明する。図９は、実施の形態２における解錠状態の補助錠を示す図である。また、図１０は、実施の形態２における施錠状態の補助錠を示す図である。図９、１０に示すように、本実施の形態の補助錠３００は、フロント１０１と錠前機構１０２とにより構成されており、錠前機構１０２は、モータ４０と、歯車４３と、レール３０と、中央歯車２０と、レール１３と、デッドボルト１０と、不正検知部１１０と、カメラ３５０と、制御部３２０とを主に備えている。そして、制御部３２０は、ネットワーク４００を介して監視センタ５００に接続されている。
【００５９】
ここで、錠前機構１０２の内部に設けられたモータ４０と、歯車４３と、レール３０と、中央歯車２０と、レール１３と、デッドボルト１０の機能および構成と、不正検知部１１０の機能および構成とは、実施の形態１と同様であるため説明を省略する。
【００６０】
カメラ３５０は、補助錠３００と出入口扉１付近とを撮像するものである。
【００６１】
制御部３２０は、モータ４０を介してデッドボルト１０の移動を制御するものであり、さらに、画像蓄積部３３０と、施解錠制御部３２１と、画像処理部３２２と、送信部３２３と、受信部３２４とを主に備えている。
【００６２】
画像蓄積部３３０は、カメラ３５０で撮像された画像を保存するものであり、ハードディスクドライブ装置（ＨＤＤ）やメモリ等の記憶媒体である。
【００６３】
画像処理部３２２は、カメラ３５０で撮像された画像に対して画像処理を行い、画像蓄積部３３０に保存するものである。
【００６４】
送信部３２３は、不正検知部１１０から不正行為が検知された旨の信号を受信した場合、出入口扉１の主錠に対して不正行為がなされている旨を示す警報を、ネットワーク４００を介して監視センタ５００に送信するものである。また、送信部３２３は、不正検知部１１０から不正行為が検知された旨の信号を受信した場合、その時カメラ３５０で撮像され画像蓄積部３３０に保存された画像を監視センタ５００に送信する。
【００６５】
受信部３２４は、送信部３２３により監視センタ５００に警報を送信した後、監視センタ５００から、デッドボルト１０を解錠状態から施錠状態にする旨の施錠指令を受信するものである。また、受信部３２４は、施錠指令を受信した後に、監視センタ５００からデッドボルト１０を施錠状態から解錠状態にする旨の解錠指令を受信するものである。
【００６６】
施解錠制御部３２１は、通常時は、デッドボルト１０を図９の状態にすることで解錠状態にし、受信部３２４により、施錠指令を受信した場合、モータ４０を、軸部４２を正回転させるように駆動して、デッドボルト１０を解錠状態から施錠状態に移行する。また、施解錠制御部３２１は、受信部３２４により解錠指令を受信した場合、モータ４０を、軸部４２を逆回転させるように駆動して、デッドボルト１０を施錠状態から解錠状態に移行する。なお、デッドボルト１０の施錠状態への移行、および解錠状態への移行の流れは、実施の形態１と同様であるため説明を省略する。
【００６７】
監視センタ５００は、補助錠３００から警報および画像を受信した場合、モニタ５１０に表示された画像を警備員５２０が確認し、不正侵入者により不正行為が行われていると判断した場合は、制御部３２０へ施錠指令を送信する。また、監視センタ５００は、施錠指令を送信した後に予め定めた所定時間が経過すると、警備員５２０が画像を確認し、不正侵入者が退去して不正行為がなされていないと判断した場合は、制御部３２０へ解錠指令を送信する。また、監視センタ５００は、監視領域の異常を検知した警備装置からの通報を受け、待機中の警備員に対して異常が検知された監視領域へ向かう旨の指示を出すとともに、必要に応じて警察や消防など関係機関への通報を行うセンタでもある。
【００６８】
次に、図９〜１１を参照して、本実施の形態の補助錠の施解錠動作について説明する。図１１は、実施の形態２に係る補助錠の施解錠動作の流れを示すフローチャートである。
【００６９】
まず、送信部３２３は、不正検知部１１０によって、不正侵入者により主錠に対するピッキング等の不正解錠が行われたことによる不正行為を検知したか否かの判断をする（ステップＳ２０）。不正検知部１１０により不正行為が検知されてない場合（ステップＳ２０：Ｎｏ）、ステップＳ２０に戻る。
【００７０】
一方、不正検知部１１０により不正行為が検知された場合（ステップＳ２０：Ｙｅｓ）、送信部３２３は、出入口扉１の主錠に対して不正行為がなされている旨を示す警報と、カメラ３５０で撮像された画像とを監視センタ５００に送信する（ステップＳ２１）。
【００７１】
そして、受信部３２４は、デッドボルト１０を解錠状態から施錠状態にする旨の施錠指令を受信したか否かを判断する（ステップＳ２２）。施錠指令を受信していない場合（ステップＳ２２：Ｎｏ）、ステップＳ２２に戻って施錠指令を受信するまで待機する。一方、施錠指令を受信した場合（ステップＳ２２：Ｙｅｓ）、施解錠制御部３２１は、モータ４０を駆動して軸部４２を正回転させることにより、デッドボルト１０を出入口の孔部に挿入して出入口扉１を施錠状態に移行する（ステップＳ２３）。
【００７２】
次に、受信部３２４は、デッドボルト１０を施錠状態から解錠状態にする旨の解錠指令を受信したか否かを判断する（ステップＳ２４）。解錠指令を受信していない場合（ステップＳ２４：Ｎｏ）、ステップＳ２４に戻って解錠指令を受信するまで待機する。一方、解錠指令を受信した場合（ステップＳ２４：Ｙｅｓ）、施解錠制御部３２１は、モータ４０を駆動して軸部４２を逆回転させることにより、デッドボルト１０を出入口の孔部から外して出入口扉１を解錠状態に移行する（ステップＳ２５）。
【００７３】
このように、実施の形態２の補助錠３００は、通常時には解錠状態であって、不正解錠などの不正行為が検知された場合に、監視センタ５００からの指令によりデッドボルト１０を解錠状態から施錠状態にする。従って、正規の利用者が入退館する場合には、主錠のみで出入口扉１を施錠状態にするため、一回の施解錠操作で出入口扉１の施解錠を可能にして煩雑な施解錠操作を強要せず利便性を向上させることができる。また、不正行為が検知された場合は、主錠と補助錠３００の二つの錠前装置により出入口扉１を施錠状態にするため、不正侵入者には解錠操作を困難にして防犯性を向上できる。
【００７４】
また、実施の形態２の補助錠３００は、施錠状態に移行した後、監視センタ５００からの指令により、再度施錠状態から解錠状態へ移行するため、不正侵入者が退去した後に正規の利用者が入退館する場合には、原状復帰するための処理を行わず、上記と同様一回の施解錠操作で出入口扉１の施解錠を可能にする。
【００７５】
また、実施の形態２の補助錠３００は、監視センタ５００における警備員により不正行為の確認が行われた上で出入口扉１を解錠状態から施錠状態に移行するため、正確に施解錠操作が行えて不正侵入者に対する防犯性をさらに向上することができる。
【００７６】
なお、本実施の形態の補助錠は、実施の形態１の補助錠と同様に出入口扉の内部に設置されているが、実施の形態１の変形例と同様に、出入口扉１にダミーシリンダを設ける構成にしてもよい。
【００７７】
また、実施の形態１〜２の補助錠は、出入口扉に埋め込まれて設置されているが、これに限定されるものではない。すなわち、出入口扉の内側に設置するなど、出入口扉を施錠状態または解錠状態にすることができればいずれの位置に設置することも可能である。
【００７８】
また、実施の形態１〜２の補助錠は、上記のような構成をしているが、このような構成に限定されるものではない。すなわち、モータ等により切替えてデッドボルトの移動が可能な構成であればいずれの構成でもよい。また、一般的に市販されているモータ錠などを利用することも可能である。
【図面の簡単な説明】
【００７９】
【図１】実施の形態１にかかる補助錠と主錠とを設置した出入口扉の全体を示す図である。
【図２】実施の形態１にかかる補助錠と主錠とを設置した出入口扉の全体を示す図である。
【図３】実施の形態１における解錠状態の補助錠を示す図である。
【図４】実施の形態１における施錠状態の補助錠を示す図である。
【図５】実施の形態１に係る補助錠の施解錠動作の流れを示すフローチャートである。
【図６】実施の形態１の変形例にかかる補助錠と主錠とを設置した出入口扉の全体を示す図である。
【図７】電気的に施解錠操作を行う補助錠が設置されていることを連想させる描画を施したダミーシリンダの一例を示す図である。
【図８】実施の形態２にかかる補助錠と主錠とを設置した出入口扉の全体を示す図である。
【図９】実施の形態２における解錠状態の補助錠を示す図である。
【図１０】実施の形態２における施錠状態の補助錠を示す図である。
【図１１】実施の形態２に係る補助錠の施解錠動作の流れを示すフローチャートである。
【符号の説明】
【００８０】
１    出入口扉
３    シリンダ
４    レバーハンドル
５    デッドボルト
６    サムターン
１０    デッドボルト
１１    軸部
１２    先端部
１３    レール
１３ａ    歯
１４    突部
２０    中央歯車
２０ａ    歯
３０    レール
３０ａ    歯
４０    モータ
４１    モータ本体
４２    軸部
４３    歯車
５０    マイクロスイッチ
５１    接点
１００，３００    補助錠
１０１    フロント
１０２    錠前機構
１１０  不正検知部
１２０，３２０    制御部
１２１，３２１    施解錠制御部
１２２    施解錠状態取得部
３２２    画像処理部
３２３    送信部
３２４    受信部
３３０    画像蓄積部
３５０    カメラ
２００    ダミーシリンダ
２０１    描画
４００    ネットワーク
５００    監視センタ
５１０    モニタ
５２０    警備員
【図１】
0005129532.tif 000002
【図２】
0005129532.tif 000003
【図３】
0005129532.tif 000004
【図４】
0005129532.tif 000005
【図５】
0005129532.tif 000006
【図６】
0005129532.tif 000007
【図７】
0005129532.tif 000008
【図８】
0005129532.tif 000009
【図９】
0005129532.tif 000010
【図１０】
0005129532.tif 000011
【図１１】
0005129532.tif 000012